(57)【要約】【課題】テロップの表示において、テロップに表示する情報を短い時間で表示することを目的とする。【解決手段】テロップを監視画面に表示するテロップ表示装置が、前記テロップに表示させる全情報のうち、一部の第１情報を前記テロップに停止させて表示し、前記テロップに表示される前記第１情報に含まれる部分を強調させる強調表示を移動させて表示し、前記全情報のうち、前記第１情報を、前記第１情報の続きとなる第２情報に切り替えることで上記課題を解決する。【選択図】図５
2018054932.tif 000002
【特許請求の範囲】
【請求項１】
テロップを監視画面に表示するテロップ表示装置であって、
前記テロップに表示させる全情報のうち、一部の第１情報を前記テロップに停止させて表示する第１情報表示部と、
前記テロップに表示される前記第１情報に含まれる部分を強調させる強調表示を移動させて表示する強調表示部と、
前記全情報のうち、前記第１情報を、前記第１情報の続きとなる第２情報に切り替える第２情報表示部と
を含むテロップ表示装置。
【請求項２】
前記強調表示部は、前記テロップにおける初期位置から終了位置まで、前記強調表示を移動させて表示し、
前記終了位置まで前記強調表示を移動させると、所定時間、前記強調表示を前記終了位置に停止させて表示し、
前記第２情報表示部は、前記所定時間が経過すると、前記第１情報を前記第２情報に切り替える請求項１に記載のテロップ表示装置。
【請求項３】
前記全情報は、少なくとも複数の文字を含む文章であって、
前記部分は、前記文字である請求項１又は２に記載のテロップ表示装置。
【請求項４】
前記全情報の重要度に基づいて、
前記テロップの背景色が設定される請求項１乃至３のいずれか１項に記載のテロップ表示装置。
【請求項５】
前記強調表示は、カーソルであって、
前記強調表示部は、前記部分の下に、前記カーソルを表示させて前記部分を強調させる請求項１乃至４のいずれか１項に記載のテロップ表示装置。
【請求項６】
テロップを監視画面に表示するテロップ表示装置が行うテロップ表示方法であって、
前記テロップ表示装置が、前記テロップに表示させる全情報のうち、一部の第１情報を前記テロップに停止させて表示する第１情報表示手順と、
前記テロップ表示装置が、前記テロップに表示される前記第１情報に含まれる部分を強調させる強調表示を移動させて表示する強調表示手順と、
前記テロップ表示装置が、前記全情報のうち、前記第１情報を、前記第１情報の続きとなる第２情報に切り替える第２情報表示手順と
を含むテロップ表示方法。
【請求項７】
テロップを監視画面に表示するテロップ表示方法をコンピュータに実行させるためのプログラムであって、
前記コンピュータが、前記テロップに表示させる全情報のうち、一部の第１情報を前記テロップに停止させて表示する第１情報表示手順と、
前記コンピュータが、前記テロップに表示される前記第１情報に含まれる部分を強調させる強調表示を移動させて表示する強調表示手順と、
前記コンピュータが、前記全情報のうち、前記第１情報を、前記第１情報の続きとなる第２情報に切り替える第２情報表示手順と
を実行させるためのプログラム。
【発明の詳細な説明】
【技術分野】
【０００１】
本発明は、テロップ表示装置、テロップ表示方法及びプログラムに関する。
【背景技術】
【０００２】
従来、テロップによって、文字等をスクロールさせて表示する方法が知られている。
【０００３】
例えば、テロップが表示される領域の大きさ、設置方向、フォントサイズ及び文字数等の表示領域情報に基づいて、テロップを表示する速度が、テロップ表示制御装置によって、決定される。このようにして、視聴者に知らせたいテロップ内容を視認させ、宣伝効果及び広告効果を高くする方法が知られている（例えば、特許文献１）。
【先行技術文献】
【特許文献】
【０００４】
【特許文献１】特開２００８−１７０５４４号公報
【発明の概要】
【発明が解決しようとする課題】
【０００５】
しかしながら、従来の方法では、テロップに表示される情報が、少しずつ表示されるため、テロップが表示される時間が長い場合が多い。そのため、ユーザは、長時間、テロップを見ていなければならない場合が多く、目が疲れたり、又は、必要な情報が表示されるまで、長時間待たされたりする。
【０００６】
本発明の１つの側面は、テロップの表示において、テロップに表示する情報を短い時間で表示できることを目的とする。
【課題を解決するための手段】
【０００７】
一態様における、テロップを監視画面に表示するテロップ表示装置は、
前記テロップに表示させる全情報のうち、一部の第１情報を前記テロップに停止させて表示する第１情報表示部と、
前記テロップに表示される前記第１情報に含まれる部分を強調させる強調表示を移動させて表示する強調表示部と、
前記全情報のうち、前記第１情報を、前記第１情報の続きとなる第２情報に切り替える第２情報表示部と
を含む。
【発明の効果】
【０００８】
テロップの表示において、テロップに表示する情報を短い時間で表示できる。
【図面の簡単な説明】
【０００９】
【図１】本発明の一実施形態におけるテロップ表示装置のハードウェア構成の一例を示すブロック図である。
【図２】本発明の一実施形態におけるテロップ表示装置による全体処理の一例を示すフローチャートである。
【図３】本発明の一実施形態におけるテロップ表示装置によるテロップの表示例を示す図（その１）である。
【図４】本発明の一実施形態におけるテロップ表示装置によるテロップの表示例を示す図（その２）である。
【図５】本発明の一実施形態におけるテロップ表示装置の機能構成の一例を示す機能ブロック図である。
【図６】比較例を示す図である。
【発明を実施するための形態】
【００１０】
本発明の実施形態を以下の順序で説明する。
１．テロップ表示装置のハードウェア構成例
２．テロップ表示装置による全体処理例
３．テロップ表示装置の機能構成例
４．比較例
＜＜１．テロップ表示装置のハードウェア構成例＞＞
例えば、テロップ表示装置は、プラント等において、監視に用いられる情報処理装置である。より具体的には、テロップ表示装置は、ＳＣＡＤＡ（Ｓｕｐｅｒｖｉｓｏｒｙ  Ｃｏｎｔｒｏｌ  Ａｎｄ  Ｄａｔａ  Ａｃｑｕｉｓｉｔｉｏｎ）等である。プラント等では、監視員等のユーザは、テロップ表示装置が表示する監視画面を見て、プラント等における工程又は設備等を監視する。
【００１１】
例えば、テロップ表示装置は、以下のようなハードウェア構成の装置である。
【００１２】
図１は、本発明の一実施形態におけるテロップ表示装置のハードウェア構成の一例を示すブロック図である。具体的には、テロップ表示装置１０は、ＣＰＵ（Ｃｅｎｔｒａｌ  Ｐｒｏｃｅｓｓｉｎｇ  Ｕｎｉｔ）１０１と、記憶装置１０２と、ネットワークＩ／Ｆ（ｉｎｔｅｒｆａｃｅ）１０３と、入力Ｉ／Ｆ１０４と、出力Ｉ／Ｆ１０５とを有する。つまり、テロップ表示装置は、あらかじめインストールされるプログラムに基づいて所定の手順を実行するコンピュータである。
【００１３】
ＣＰＵ１０１は、テロップ表示装置１０が行う各種処理及び各種制御を実現するための演算と、各種データの加工とを行う演算装置である。さらに、ＣＰＵ１０１は、テロップ表示装置１０が有するハードウェアを制御する制御装置である。
【００１４】
記憶装置１０２は、テロップ表示装置１０が使うデータ、プログラム及び設定値等を記憶する。また、記憶装置１０２は、いわゆるメモリ（ｍｅｍｏｒｙ）等である。なお、記憶装置１０２は、ハードディスク（ｈａｒｄｄｉｓｋ）等の補助記憶装置等を有してもよい。
【００１５】
ネットワークＩ／Ｆ１０３は、ＬＡＮ（Ｌｏｃａｌ  Ａｒｅａ  Ｎｅｔｗｏｒｋ）等のネットワークを介して接続される装置と各種データ等を送受信する。例えば、ネットワークＩ／Ｆ１０３は、ＮＩＣ（Ｎｅｔｗｏｒｋ  Ｉｎｔｅｒｆａｃｅ  Ｃｏｎｔｒｏｌｌｅｒ）及びＬＡＮケーブルを接続させるコネクタ等である。なお、ネットワークＩ／Ｆ１０３は、ネットワークを利用するＩ／Ｆに限られず、ケーブル、無線又はコネクタ等によって外部装置と送受信するＩ／Ｆであってもよい。
【００１６】
入力Ｉ／Ｆ１０４は、テロップ表示装置１０を使うユーザ等とのインタフェースである。具体的には、入力Ｉ／Ｆ１０４は、ユーザ等が行う各種操作を入力する。例えば、入力Ｉ／Ｆ１０４は、キーボード等の入力装置及び入力装置をテロップ表示装置１０に接続させるコネクタ等によって構成される。
【００１７】
出力Ｉ／Ｆ１０５は、テロップ表示装置１０を使うユーザとのインタフェースである。具体的には、出力Ｉ／Ｆ１０５は、テロップ表示装置１０が行う各種処理の処理結果等をユーザに出力する。例えば、出力Ｉ／Ｆ１０５は、ディスプレイ等の出力装置及び出力装置をテロップ表示装置１０に接続させるコネクタ等である。なお、出力Ｉ／Ｆ１０５は、処理結果等を示すデータを生成し、データを外部装置に出力してもよい。
【００１８】
また、テロップ表示装置１０は、各ハードウェア資源による処理等を補助する補助装置を更に有する構成でもよい。さらに、テロップ表示装置１０は、各種処理及び制御を並列、冗長又は分散して処理するため、装置を内部又は外部に更に有してもよい。さらにまた、テロップ表示装置１０は、複数の情報処理装置で構成されてもよい。
【００１９】
＜＜２．テロップ表示装置による全体処理例＞＞
図２は、本発明の一実施形態におけるテロップ表示装置による全体処理の一例を示すフローチャートである。
【００２０】
＜＜データの入力例（ステップＳ１０１）＞＞
ステップＳ１０１では、テロップ表示装置は、テロップに表示させる全情報を示すデータを入力する。例えば、テロップに文章を表示させる場合には、テロップ表示装置には、文章を示すテキストデータ等が入力される。
【００２１】
＜＜全情報のうち、第１情報をテロップに表示する例（ステップＳ１０２）＞＞
ステップＳ１０２では、テロップ表示装置は、全情報のうち、テロップに表示する一部の情報（以下「第１情報」という。）をテロップに表示する。例えば、全情報が複数の文字で構成される文章である場合には、第１情報は、文章の最初から、数文字等である。そして、テロップ表示装置は、全情報から、第１情報となる文字を抽出して、テロップに第１情報が示す文字を表示する。
【００２２】
また、ステップＳ１０２では、テロップ表示装置は、第１情報を一定の間、テロップに停止させて表示する。
【００２３】
＜＜強調表示例（ステップＳ１０３）＞＞
ステップＳ１０３では、テロップ表示装置は、強調表示を行う。例えば、ステップＳ１０２によって、テロップに文字が表示される場合には、ステップＳ１０３では、テロップ表示装置は、表示される文字のうち、１文字を強調するように表示する。
【００２４】
また、テロップ表示装置は、強調表示によって強調させる箇所を移動させて表示する。例えば、テロップに、左から右へ読む文字が表示されている場合には、テロップ表示装置は、強調させる箇所を左から順に右に移動させる。なお、強調表示の移動速度は、ユーザがあらかじめテロップ表示装置に設定できる。
【００２５】
＜＜所定時間経過しているか否かの判断例（ステップＳ１０４）＞＞
ステップＳ１０４では、テロップ表示装置は、強調表示が移動してから、あらかじめ設定される時間（以下「所定時間」という。）が経過しているか否かを判断する。すなわち、強調表示が終了位置で停止してから、所定時間が経過すると、第１情報は、第１情報に続く情報（以下「第２情報」という。）に切り替えられる。
【００２６】
次に、所定時間が経過しているとテロップ表示装置が判断すると（ステップＳ１０４でＹＥＳ）、テロップ表示装置は、ステップＳ１０５に進む。一方で、所定時間が経過していないとテロップ表示装置が判断すると（ステップＳ１０４でＮＯ）、テロップ表示装置は、ステップＳ１０４に進む。すなわち、所定時間が経過するまで、テロップ表示装置は、強調表示を停止させて表示するのを繰り返す。
【００２７】
＜＜第２情報に切り替えて表示する例（ステップＳ１０５）＞＞
ステップＳ１０５では、テロップ表示装置は、第２情報に切り替えて表示する。具体的には、テロップ表示装置は、現在、表示している第１情報に代えて、第２情報が表示されるようにする。第１情報と第２情報は、連続した情報であるため、第２情報が表示されると、ユーザは、第１情報の続きを知ることができる。
【００２８】
そして、テロップ表示装置は、全情報が一通り表示されるまで、繰り返し情報を切り替えて表示する。すなわち、ステップＳ１０５による切り換えによって表示された第２情報は、次のステップＳ１０２では、第１情報として扱われる。このようにして、全情報は、ステップＳ１０５による切り替えによって、一部ずつ表示される。
【００２９】
なお、全情報が一通り表示された場合には、テロップ表示装置は、再度、全情報を最初から表示する、いわゆるループ処理等を行ってもよい。
【００３０】
具体的には、図２に示す全体処理によって、テロップ表示装置は、以下のようにテロップを監視画面に表示する。
【００３１】
図３は、本発明の一実施形態におけるテロップ表示装置によるテロップの表示例を示す図（その１）である。
【００３２】
図４は、本発明の一実施形態におけるテロップ表示装置によるテロップの表示例を示す図（その２）である。以下に説明する例では、テロップに表示する対象が、図３（Ａ）に示す全情報ＩＮＦＡであるとする。すなわち、テロップ表示装置には、図３（Ａ）に示す全情報ＩＮＦＡを示すデータがあらかじめ入力される（図２に示すステップＳ１０１）。
【００３３】
次に、テロップは、全情報ＩＮＦＡがすべて表示できない幅であるとする。このような場合には、例えば、テロップ表示装置は、テロップに表示できる幅に基づいて、図３（Ｂ）に示すように、全情報ＩＮＦＡのうち、第１情報ＩＮＦ１となる一部を抽出する。
【００３４】
続いて、テロップ表示装置は、第１情報ＩＮＦ１をテロップに表示する。例えば、テロップ表示装置は、図３（Ｃ）のように、第１情報ＩＮＦ１を表示する。図示する例は、テロップ表示装置が表示する監視画面ＰＮＬのうち、図３（Ｃ）に示すような所定の範囲が、テロップを表示する範囲と設定された場合である。
【００３５】
図３（Ｃ）に示すように、テロップ表示装置は、図３（Ｂ）において抽出された第１情報ＩＮＦ１を停止させて表示する（図２に示すステップＳ１０２）。なお、テロップ表示装置は、第１情報ＩＮＦ１を、例えば、スクロールさせる等とせず、一定の箇所に停止させて表示する。このようにすると、文字等が動いていないため、ユーザは、文字等が読みやすい。
【００３６】
次に、テロップ表示装置は、テロップに表示している第１情報のうち、所定の部分を強調させる表示を行う。例えば、テロップ表示装置は、図３（Ｄ）に示すように、強調させる部分をカーソルＣＵＲで示す。すなわち、カーソルＣＵＲは、強調表示の一例である。具体的には、まず、テロップ表示装置は、最初に読む文字、すなわち、図示する例では、第１情報ＩＮＦ１の最も左側に表示される文字の下にカーソルＣＵＲを表示する。このように、テロップ表示装置は、まず、テロップにおける初期位置にカーソルＣＵＲを表示する。
【００３７】
そして、テロップ表示装置は、カーソルＣＵＲを読む方向に移動させて表示する。具体的には、図３（Ｄ）に示す例では、テロップ表示装置は、カーソルＣＵＲをテロップの左端から右端に向かって移動するように表示する。このようにして、テロップ表示装置は、カーソルＣＵＲを初期位置から終了位置まで移動させて表示する（図２に示すステップＳ１０３）。そして、テロップ表示装置は、カーソルＣＵＲを終了位置に、所定時間、停止させて表示する。すなわち、テロップ表示装置は、カーソルＣＵＲを終了位置まで移動させると、カーソルＣＵＲを終了位置で停止させる。
【００３８】
図では、テロップ表示装置は、カーソルＣＵＲを図３（Ｄ）に示す位置（初期位置）から、図３（Ｅ）に示す位置を経由して、図３（Ｆ）に示す位置（終了位置）まで移動するように表示する。例えば、図３（Ｆ）に示すように、テロップ表示装置は、テロップの右端から所定間隔ＰＳの位置となるまでカーソルＣＵＲを移動するように表示する。なお、所定間隔ＰＳは、あらかじめ設定される間隔である。
【００３９】
次に、カーソルＣＵＲを終了位置に、所定時間、停止させて表示すると（図２に示すステップＳ１０４でＹＥＳ）、テロップ表示装置は、例えば、図４に示すように、第２情報に切り替える表示を行う。
【００４０】
例えば、第２情報ＩＮＦ２は、図４（Ａ）に示すように、第１情報の続きとなる情報である。以下、図４（Ａ）に示すような第２情報ＩＮＦ２を例に説明する。
【００４１】
この例では、図３（Ｆ）に示すような表示を行う状態から、テロップ表示装置は、例えば、図４（Ｂ）及び図４（Ｃ）の順にテロップを変更する。このようにすると、テロップ表示装置は、第１情報を第２情報に切り替えることができる。なお、図示する例は、第１情報から第２情報への切り替えをスクロールさせて行う例である。
【００４２】
また、図４（Ｂ）及び図４（Ｃ）のように切り替える場合でも、カーソルＣＵＲは、図示するように、同じ部分を強調しているのが望ましい。このようにすると、ユーザは、切り替えの前後で、文字等がどこに移動したかわかりやすい。そのため、切り替えられても、ユーザは、読んでいた文字等を見失わずに読み続けることができる。
【００４３】
そして、第２情報ＩＮＦ２がテロップに表示されると、図３（Ｄ）乃至図３（Ｆ）と同様に、テロップ表示装置は、カーソルＣＵＲを初期位置から終了位置まで移動させて表示する（図２に示すステップＳ１０３）。すなわち、第２情報ＩＮＦ２において、カーソルＣＵＲを移動させる処理は、図示すると、図４（Ｄ）乃至図４（Ｆ）のようになる。次に、図４（Ｆ）に示すような表示を行う状態になると、テロップ表示装置は、第２情報ＩＮＦ２を更に続きの情報に切り替える。
【００４４】
このようにして、切り替え後では、第２情報ＩＮＦ２は、切り替え前の第１情報ＩＮＦ１（図３参照）に扱われ、第１情報ＩＮＦ１に対する処理と同じ処理が繰り返し行われる。
【００４５】
なお、強調表示は、カーソルに限られない。例えば、強調表示は、所定の部分を装飾した表示でもよい。具体的には、強調表示は、所定の部分の背景色を他の箇所と異なる色にしたり、又は、強調させる部分となる文字の色を変えたりする等でもよい。
【００４６】
また、表示は、例えば、表示する情報の重要度に基づいて、背景色が変わってもよい。例えば、重要度が高い情報は、赤色の背景色で表示され、一方で、それ以外の情報は、白色の背景色で表示される等である。このようにすると、ユーザが重要な情報を見落とすのを防ぐことができる。
【００４７】
さらに、切り替えは、図示するように、左へスライドさせるのに限られない。すなわち、切り替えは、上から下、下から上又は左から右へスライドさせてもよい。
【００４８】
他にも、情報は、フォーマットがあらかじめ決まっているのが望ましい。具体的には、図示する例のように、警報に係る情報では、全情報は、「日付（図では、「２０１６／０２／２９」の部分が該当する。）」、「時間（図では、「１３:１０:２０」の部分が該当する。）」、「内容（図では、「■■■■  △△△△  ●●●●異常発生」の部分が該当する。）」の順に、各情報が並ぶ点がフォーマットに基づいて決まっている例である。このように、フォーマットが決まっていると、ユーザは、情報がどういった順で表示されるかあらかじめ予測することができる。
【００４９】
＜＜３．テロップ表示装置の機能構成例＞＞
図５は、本発明の一実施形態におけるテロップ表示装置の機能構成の一例を示す機能ブロック図である。例えば、テロップ表示装置１０は、入力部ＦＮ１と、第１情報表示部ＦＮ２と、強調表示部ＦＮ３と、第２情報表示部ＦＮ４とを含む機能構成である。
【００５０】
入力部ＦＮ１は、全情報ＩＮＦＡを示すデータＤＡを入力する。また、入力部ＦＮ１は、例えば、ネットワークＩ／Ｆ１０３（図１参照）又は入力Ｉ／Ｆ１０４（図１参照）等によって実現される。
【００５１】
第１情報表示部ＦＮ２は、テロップに表示させる全情報ＩＮＦＡのうち、一部の第１情報ＩＮＦ１をテロップに停止させてユーザＵＳに表示する。また、第１情報表示部ＦＮ２は、例えば、出力Ｉ／Ｆ１０５（図１参照）等によって実現される。
【００５２】
強調表示部ＦＮ３は、テロップに表示される第１情報ＩＮＦ１に含まれる部分を強調させる強調表示を移動させて表示する。また、強調表示部ＦＮ３は、例えば、出力Ｉ／Ｆ１０５（図１参照）等によって実現される。
【００５３】
第２情報表示部ＦＮ４は、全情報ＩＮＦＡのうち、第１情報表示部ＦＮ２が表示する第１情報ＩＮＦ１を、データＤＡが示す第１情報ＩＮＦ１の続きとなる第２情報ＩＮＦ２に切り替える。また、第２情報表示部ＦＮ４は、例えば、出力Ｉ／Ｆ１０５（図１参照）等によって実現される。
【００５４】
まず、テロップ表示装置１０には、テロップに表示させる全情報ＩＮＦＡを示すデータＤＡが入力される。次に、例えば、図３に示すように、テロップ表示装置１０は、第１情報表示部ＦＮ２によって、全情報ＩＮＦＡから、第１情報ＩＮＦ１となる一部を抽出し、ユーザＵＳに表示する。そして、例えば、図３に示すように、テロップ表示装置１０は、カーソル等の強調表示によって、第１情報ＩＮＦ１に含まれる部分を強調させる。また、テロップ表示装置１０は、強調表示部ＦＮ３によって、強調表示を移動させて表示する。このように、強調表示が表示されると、ユーザＵＳは、どこまで読んだかという位置が強調表示によって把握できる。そのため、切り替え等によって表示される情報が変更されても、ユーザＵＳは、切り替え前に読んでいた箇所が、切り替え後に、どこになったかが直観的にわかる。このようにして、ユーザＵＳは、読んでいた箇所を見失わないようにできる。
【００５５】
また、第２情報表示部ＦＮ４によって、情報が切り替えられて表示されると、１文字ずつスクロールさせて表示していく場合等と比較して、テロップの表示において、テロップに表示する情報を短い時間で表示できる。
【００５６】
このようにして、テロップ表示装置１０がテロップに情報を読みやすくする表示するため、ユーザは、目の疲れを感じにくい。
【００５７】
監視画面は、監視のため、様々なパラメータ等を画面上に表示する必要がある画面である。そのため、各情報を監視画面に表示するスペースは、制約がある場合が多い。そこで、テロップを用いると、テロップ表示装置１０は、狭いスペースの中で、ユーザＵＳに、情報を表示することができる。
【００５８】
＜＜４．比較例＞＞
図６は、比較例を示す図である。以下、比較例において、図３と同様の全情報ＩＮＦＡが表示される例を説明する。まず、比較例において、図３と同様に、全情報ＩＮＦＡを示すデータが、あらかじめテロップを表示する装置に入力される。比較例では、テロップを表示する装置は、１文字ずつ、テロップの右端から、左に向かってスクロールさせるように情報を表示する。具体的には、まず、比較例では、図６（Ｂ）に示すように、監視画面ＰＮＬには、テロップに、最初の１文字が表示される。すなわち、図６（Ｂ）のように表示される文字は、図６（Ｃ）に示すように、全情報ＩＮＦＡの先頭部分ＣＭＰ１である。
【００５９】
図６（Ｂ）の次に、所定の時間が経過すると、比較例では、テロップを表示する装置は、図６（Ｄ）に示すような表示とする。図示するように、図６（Ｄ）に示すような表示は、図６（Ｂ）から１文字分、左に向かってスクロールさせた表示である。すなわち、図６（Ｄ）のように表示される文字は、図６（Ｅ）に示すように、全情報ＩＮＦＡの第２部分ＣＭＰ２である。
【００６０】
この比較例のように、スクロールによって表示がされると、情報は、動いている状態となる。そのため、テロップを読むユーザは、情報を読むと、目が疲れる場合が多い。
【００６１】
また、比較例のように、スクロールによって表示がされると、情報は、表示されるまでの時間が長い場合が多い。そのため、ユーザは、読みたい部分が表示されるまでスクロールするのを待機している時間が長い場合が多い。例えば、スクロールによって読み逃した部分が再度表示されるには、ユーザは、１周分、スクロールされるのを待つ必要がある。スクロールは、１周させるまでの時間が長い場合が多いため、ユーザは、長い時間待機する必要がある。また、時間を短縮させるために、スクロールさせる時間を速くすると、文字が高速に流れるため、ユーザは、読んでいる箇所を見失ったり、目が疲れたりする。
【００６２】
一方で、本実施形態のように、メリハリのある切り替えによって、テロップに情報が表示されると、テロップ表示装置は、テロップに情報を短い時間で表示することができる。
【００６３】
また、本発明は、本発明に係る処理の一部又は全部の手順が、プログラムに基づいて処理を行う情報処理装置に、プログラムをインストールすることによって、実現されてもよい。すなわち、本発明は、テロップ表示方法をコンピュータに実行させるためのプログラム等によって実現されてもよい。
【００６４】
以上、本発明の好ましい実施例について詳述したが、本発明は、係る特定の実施形態に限定されるものではない。即ち、特許請求の範囲に記載された本発明の要旨の範囲内において、種々の変形又は変更が可能である。
【符号の説明】
【００６５】
１０  テロップ表示装置
ＦＮ１  入力部
ＦＮ２  第１情報表示部
ＦＮ３  強調表示部
ＦＮ４  第２情報表示部
ＩＮＦＡ  全情報
ＩＮＦ１  第１情報
ＩＮＦ２  第２情報
【図１】
2018054932.tif 000003
【図２】
2018054932.tif 000004
【図３】
2018054932.tif 000005
【図４】
2018054932.tif 000006
【図５】
2018054932.tif 000007
【図６】
2018054932.tif 000008